(57)【要約】【課題】  焦点外れ像の光量低下を抑制しつつ、焦点外れ像の見え方（色ムラと強度ムラ）を改善させた光学系及び撮像装置を提供すること。【解決手段】  光学系１は、絞りと、アポダイゼーション効果を奏する光学素子と、を有し、前記光学素子の透過率は、光軸から径方向に離れるにしたがって減少し、前記透過率は波長によって異なり、前記光学系の有効径をｒａ、前記光学素子において透過率が最大値の０．９倍の値となる位置の径方向における前記光軸からの距離をｒ１、前記光学素子において透過率が最大値の０．５倍となる位置の径方向における前記光軸からの距離をｒ２、前記光学素子において透過率が最大値の０．１倍となる位置の径方向における前記光軸からの距離をｒ３とするとき、所定の条件式を満たす。【選択図】図２
2019056780.tif 000002
【特許請求の範囲】
【請求項１】
絞りと、アポダイゼーション効果を奏する光学素子とを有する光学系であって、
前記光学素子の透過率は、光軸から径方向に離れるにしたがって減少し、
前記透過率は入射光の波長によって異なり、
前記光学系の有効径をｒａ、前記光学素子において透過率が最大値の０．９倍の値となる位置の径方向における前記光軸からの距離をｒ１、前記光学素子において透過率が最大値の０．５倍となる位置の径方向における前記光軸からの距離をｒ２、前記光学素子において透過率が最大値の０．１倍となる位置の径方向における前記光軸からの距離をｒ３とするとき、
０．６≦ｒ２／ｒａ≦０．９
０．１≦（ｒ３−ｒ１）／ｒａ
なる条件式を満たすことを特徴とする光学系。
【請求項２】
前記透過率は、前記光学素子の中心から所定の範囲で一定であることを特徴とする請求項１に記載の光学系。
【請求項３】
前記透過率は、前記光軸から径方向に離れるにしたがって段階的に減少することを特徴とする請求項１または２に記載の光学系。
【請求項４】
前記光学素子において赤色の波長に対する透過率が最大値の０．５倍の値となる位置の径方向における前記光軸からの距離をｒ２R、前記光学素子において緑色の波長に対する透過率が最大値の０．５倍の値となる位置の径方向における前記光軸からの距離をｒ２G、前記光学素子において青色の波長に対する透過率が最大値の０．５倍の値となる位置の径方向における前記光軸からの距離をｒ２Bとするとき、
赤、緑、青の三色の波長に対して、
ｒ２Ｇ／ｒａ＜ｒ２Ｒ／ｒａ  または  ｒ２Ｇ／ｒａ＜ｒ２Ｂ／ｒａ
なる条件式を満たすことを特徴とする請求項１乃至３のいずれか１項に記載の光学系。
【請求項５】
無限遠にフォーカスした際に、前記光学系の焦点距離をｆ、開放Ｆ値をＦｎｏとするとき、
８ｍｍ≦ｆ／Ｆｎｏ≦７０ｍｍ
なる条件式を満たすことを特徴とする請求項１乃至４のいずれか１項に記載の光学系。
【請求項６】
無限遠にフォーカスした際に、前記光学系の焦点距離をｆ、開放Ｆ値をＦｎｏとするとき、
１０ｍｍ≦ｆ／Ｆｎｏ≦６５ｍｍ
なる条件式を満たすことを特徴とする請求項１乃至５のいずれか１項に記載の光学系。
【請求項７】
前記光学系の半画角をωとするとき、
９°≦ω≦４５°
なる条件式を満たすことを特徴とする請求項１乃至６のいずれか１項に記載の光学系。
【請求項８】
前記光学素子は、前記絞りが配置されている位置に配置されていることを特徴とする請求項１乃至７のいずれか１項に記載の光学系。
【請求項９】
前記光学素子は、前記絞りより物体側の位置または、前記絞りより像側の位置に配置されていることを特徴とする請求項１乃至７のいずれか１項に記載の光学系。
【請求項１０】
請求項１乃至９のいずれか１項に記載の光学系と、該光学系からの光を受光する受光素子とを有することを特徴とする撮像装置。
【発明の詳細な説明】
【技術分野】
【０００１】
本発明は、光学素子を有する光学系に関し、特に銀塩フィルム用カメラ、デジタルスチルカメラ、ビデオカメラ、ＴＶカメラ等の撮像装置に好適なものである。
【背景技術】
【０００２】
一般に、撮影レンズ系の光学性能は合焦物体の結像性能で評価される。しかしながら、撮影レンズ系の用途によっては、焦点外れ像（前ボケ、後ボケ）の見え方が撮影レンズ系の光学性能にとって重要な評価指標になる場合がある。
【０００３】
焦点外れ像を好ましく見せるための手法として、アポダイゼーションフィルターを備えた光学系が特許文献１に開示されている。特許文献１では、光軸から光軸と垂直な方向に離れるにしたがって次第に透過率が減少し、その径方向の透過率分布形状が略ガウス分布になるように構成されたアポダイゼーションフィルターを用いている。これにより、撮像光束内に強度分布を付加し、焦点外れ像の見え方を好ましくしている。
【先行技術文献】
【特許文献】
【０００４】
【特許文献１】特開平０９−２３６７４０号公報
【発明の概要】
【発明が解決しようとする課題】
【０００５】
一般的に、広角から中望遠の撮影レンズ系においては、軸外光束のサジタルハロが画像周辺部における焦点外れ像の強度ムラを引き起こす。このため、アポダイゼーションフィルターにより光束に透過率分布を与え、効果的にサジタルハロを除去することによって、軸外光束における焦点外れ像の見え方を改善することが可能となる。その際に、光量の低下を抑制しつつ効果的にサジタルハロを除去することが、アポダイゼーションフィルターの性能として求められる。
【０００６】
しかしながら、特許文献１に開示された従来技術では、アポダイゼーションフィルターの透過率分布にガウス分布型を採用しているため、光束中心付近の、サジタルハロを引き起こす光線以外の光線に対しても透過率を下げてしまっている。
【０００７】
また、広角から中望遠の撮影レンズ系においては、画像中心部における後ボケの輪郭が緑色に色づいてしまう課題があり、こちらも焦点外れ像の見え方を悪化させる要因となっている。
【０００８】
そこで、本発明の目的は、焦点外れ像の光量の低下を抑制しつつ、焦点外れ像の見え方（色ムラと強度ムラ）を改善させた撮影レンズ系及び撮像装置を提供することである。
【課題を解決するための手段】
【０００９】
本発明の一側面としての光学系は、絞りと、アポダイゼーション効果を奏する光学素子とを有する光学系であって、前記光学素子の透過率は、光軸から径方向に離れるにしたがって減少し、前記透過率は入射光の波長によって異なり、前記光学系の有効径をｒａ、前記光学素子において透過率が最大値の０．９倍の値となる位置の径方向における前記光軸からの距離をｒ１、前記光学素子において透過率が最大値の０．５倍となる位置の径方向における前記光軸からの距離をｒ２、前記光学素子において透過率が最大値の０．１倍となる位置の径方向における前記光軸からの距離をｒ３とするとき、所定の条件式を満たす。
【００１０】
また、本発明の他の側面としての撮像装置は、前記光学系と、該光学系からの光を受光する受光素子とを有する。
【００１１】
本発明の他の目的及び特徴は、以下の実施例において説明される。
【発明の効果】
【００１２】
本発明によれば、軸上光束及び軸外光束に対して光量の低下が抑制された良好な焦点外れ像が得られ、軸上画角における後ボケの色ムラが改善された光学系及び撮像装置を提供することができる。
【図面の簡単な説明】
【００１３】
【図１】本発明の透過率分布素子と一般的なアポダイゼーション素子の透過率分布。
【図２】実施例１のレンズ断面図。
【図３】実施例１の撮影レンズ系が形成する焦点外れ像の強度分布。
【図４】実施例１の透過率分布素子が有する透過率分布。
【図５】実施例１の透過率分布素子によって制御された焦点外れ像の強度分布。
【図６】実施例２のレンズ断面図。
【図７】実施例２の透過率分布素子が有する透過率分布。
【図８】実施例２の透過率分布素子が有する透過率分布の分光特性。
【図９】実施例２の透過率分布素子によって制御された焦点外れ像の強度分布。
【図１０】実施例３のレンズ断面図。
【図１１】実施例３の撮影レンズ系が形成する焦点外れ像の強度分布。
【図１２】実施例３の透過率分布素子が有する透過率分布。
【図１３】実施例３の透過率分布素子によって制御された焦点外れ像の強度分布。
【図１４】実施例４のレンズ断面図。
【図１５】実施例４の撮影レンズ系が形成する焦点外れ像の強度分布。
【図１６】実施例４の透過率分布素子が有する透過率分布。
【図１７】実施例４の透過率分布素子によって制御された焦点外れ像の強度分布。
【図１８】各実施例の撮影レンズ系を有する撮像装置。
【発明を実施するための形態】
【００１４】
以下、本発明の実施例について、図面を参照しながら詳細に説明する。
【００１５】
本発明の撮影レンズ系（光学系）は、立体被写体の撮影時に焦点外れ像を制御することのできる撮影レンズ系である。
【００１６】
ここで、立体被写体とは光軸方向の距離が異なる複数の部分からなる被写体のことであり、特に撮影時に撮影レンズ系の焦点面から被写界深度以上離れた点を持つ被写体のことである。このとき、結像面には焦点外れ像が形成され、焦点外れ像の直径が撮影レンズ系のイメージサークル半径に対して約１〜２％より大きくなると、焦点外れ像として認識できるようになる。
【００１７】
ここで、イメージサークルとはレンズの有効径内を通った光線が結像する円である。実施例の光学系をデジタルスチルカメラやビデオカメラの撮影レンズ系として使用する際には、結像面はＣＣＤセンサやＣＭＯＳセンサ等の半導体撮像素子（光電変換素子）の撮像面に相当する。また、実施例の光学系を銀塩カメラ用の撮影レンズ系として使用する際には、結像面はフィルム面に相当する。なお、前述のイメージサークル半径は、撮像装置においては撮像面及びフィルム面の最大像高としてもよい。
【００１８】
焦点外れ像を「制御する」とは、アポダイゼーション効果を奏する光学素子（透過率分布素子）によって各画角の光束に対して透過率分布を与え、透過率分布素子がない場合と比較して、焦点外れ像の光量分布を変化させることである。外周部で光量が大きい焦点外れ像は輪郭が強くなり好ましくないとされているため、焦点外れ像の周辺部の透過率を中央部より低くすると良い。以下では、透過率分布素子が有する透過率分布は中心対称であり、中央部より周辺部で透過率が小さい場合を仮定して説明する。
【００１９】
本発明の撮影レンズ系は、絞りを有し、透過率分布素子を少なくとも１つ有することを特徴とする。
【００２０】
ここで、透過率分布素子とはレンズの径方向に対して透過率分布を有する光学素子を意味し、透明ガラス平板やレンズ面に所定の透過率分布を有するように吸収物質や反射物質を蒸着したり、感光材料を塗布して所定の濃度となるように露光したりすることで得られる。また、光吸収を有する物質（ＮＤガラス）で作成された凹レンズを使用してもよい。また、エレクトロクロミック材料等を利用して透過率分布を可変としてもよい。
【００２１】
焦点外れ像を改良する従来の方法として、図１の（ｂ）で示されるような径方向の透過率分布がガウス分布型となる透過率分布素子を絞り近傍に配置した撮影レンズ系が知られている。絞り近傍に透過率分布素子を配置することで、焦点外れ像の強度ムラを引き起こす原因となっているサジタルハロを除去することが可能となり、焦点外れ像を好ましく見せることができる。
【００２２】
しかしながら、ガウス分布型の透過率分布では、焦点外れ像の強度ムラとは関係のない中心付近を通過する光線に対しても透過率の減少効果を与えてしまい、焦点外れ像の光量の低下とそれに伴う焦点外れ像の大きさの減少が避けられない。
【００２３】
そこで、本発明は図１の（ａ）で示されるような透過率分布を有する光学素子を用いることで、光束の中心付近の光量低下を抑制しつつ、焦点外れ像の見え方を改良している。
【００２４】
また、一般的な撮影レンズ系では軸外光束に口径食が見られる。ここで口径食とは光束の一部がケラレることを意味しており、ビネッティングとも呼ばれる。口径食のある撮影レンズ系では、軸上光束と軸外光束で絞りを通過する領域が一致しないために、透過率分布素子によって得られる効果が画角によって異なってしまう。
【００２５】
一般には、軸外光束は軸上光束より絞りの狭い範囲を通過するため、軸上光束に合わせた透過率分布とした場合は軸外光束ではその透過率分布の影響を得られない。また、絞りから離れた位置に透過率分布素子を配置した場合は軸外光束の中心が光軸から離れてしまうため、中心対称な透過率分布では軸外光束の透過率が非対称となってしまう。
【００２６】
そこで本発明では、絞りより物体側へ離れた位置と絞りより像側へ離れた位置では軸外光束の形状が上下反転したような関係になることに着目した。絞りの前後に少なくとも１つの透過率分布素子を配置することで、軸外光束の瞳透過率分布を等価的に中心対称に近づけることが可能となる。これにより、軸外画角における焦点外れ像の改良効果を重視する場合は、透過率分布を有する光学素子を絞り前後に配置することで軸外光束に対しても有効にアポダイゼーション効果を得ている。
【００２７】
本発明の撮影レンズ系（光学系）は、絞りと、アポダイゼーション効果を奏する光学素子とを有する。光学素子の透過率は、光軸から径方向に離れるにしたがって減少し、透過率は入射光の波長によって異なる。
【００２８】
光学系の有効径をｒａ、光学素子において透過率が最大値の０．９倍の値となる位置の径方向における光軸からの距離をｒ１、光学素子において透過率が最大値の０．５倍となる位置の径方向における光軸からの距離をｒ２、光学素子において透過率が最大値の０．１倍となる位置の径方向における光軸からの距離をｒ３とするとき、
０．６≦ｒ２／ｒａ≦０．９                                  （１）
０．１≦（ｒ３−ｒ１）／ｒａ                                （２）
なる条件式を満たすことを特徴とする。
【００２９】
周辺部で光量が大きいエッジの効いた焦点外れ像を改良するには、光束の周辺部での透過率を光束の中央部よりも低くする必要がある。この条件を満たさない場合、光束の周辺部での光量が光束の中央部より強まり、よりエッジの効いた汚い焦点外れ像となってしまう。このため、透過率分布素子が有する透過率は周辺部において中心から径方向に離れるに従って減少することが好ましい。
【００３０】
周辺部が色づいた焦点外れ像を改良するには、波長によって径方向の透過率分布の形状を変化させる必要がある。この条件を満たさない場合、例えば赤、緑、青の波長によって焦点外れ像の大きさが異なり、焦点外れ像の輪郭が色づいてしまい焦点外れ像の見え方が悪化する。赤、緑、青のそれぞれの波長域の光だけを吸収する物質を所望の割合で透過率分布素子の吸収物質として用いることで、透過率に分光特性を持たせることができる。さらに、光軸から径方向の距離によって前記吸収物質の割合を変化させることで、波長によって径方向の透過率分布の形状が異なる透過率分布素子を製作することが可能である。また、誘電体や金属の薄膜を用いた多層膜の場合は、多層膜の構成を光軸から径方向の距離で異なるようにすることで、同様に波長によって径方向の透過率分布の形状が異なる透過率分布素子を製作可能である。
【００３１】
条件式（１）及び（２）は透過率分布素子が有する透過率分布の形状に関する式である。中心から一定の範囲では透過率を落とさないことでレンズ系が取り込む光量を増やすことができる。なお、光束の中央部においては、一定の範囲で透過率が一定であっても構わない。また、エレクトロクロミック材料を用いた透過率分布素子を使用した場合、透過率が滑らかに変化するような分布を作成することは難しく、段階的に透過率を変えてもよい。
【００３２】
条件式（１）の下限値を下回ると透過率が最大透過率の５割未満となる領域が広くなりすぎる。これにより焦点外れ像の強度ムラを引き起こすサジタルハロ成分以外の光線も除去してしまい、焦点外れ像の光量が低くなりすぎるため好ましくない。条件式（１）の上限値を上回ると透過率が最大透過率の５割未満となる領域が狭くなりすぎる。これにより透過率分布素子による焦点外れ像を改良する効果が低減してしまい、エッジの効いた焦点外れ像となってしまうため好ましくない。
【００３３】
条件式（２）の下限値を下回ると透過率が最大透過率の９割から１割へ変化する領域の幅が狭くなりすぎる。これにより径方向の透過率分布が急峻に変化することになり、焦点外れ像の輪郭の強度をなだらかに変化させることが難しくなってしまい、焦点外れ像の見え方を改善させる効果が低減してしまうので好ましくない。
【００３４】
本発明の撮影レンズ系は、赤、緑、青の３色の波長に対して、前記分布形状が下記の条件式（３）を満たすことを特徴とする。
ｒ２Ｇ／ｒａ＜ｒ２Ｒ／ｒａ  または  ｒ２Ｇ／ｒａ＜ｒ２Ｂ／ｒａ    （３）
ただし、ｒ２Rを赤色の波長に対する透過率が最大透過率の５割となる距離、ｒ２Gを緑色の波長に対する透過率が最大透過率の５割となる距離、ｒ２Bを青色の波長に対する透過率が最大透過率の５割となる距離とする。つまり、ｒ２Rは光学素子において赤色の波長に対する透過率が最大値の０．５倍の値となる位置の径方向における光軸からの距離、ｒ２Gは光学素子において緑色の波長に対する透過率が最大値の０．５倍の値となる位置の径方向における光軸からの距離、ｒ２Bは光学素子において青色の波長に対する透過率が最大値の０．５倍の値となる位置の径方向における光軸からの距離である。
【００３５】
一般的に、広角から中望遠の撮影レンズ系においては、画像中心部付近の焦点外れ像は輪郭が緑色に色づいてしまう。これは緑色の波長の光線によって形成される焦点外れ像の大きさが赤色や青色に比べ大きくなるためであり、この課題を解決するためには、緑色の波長に対する径方向の透過率分布形状の幅を他の色の波長と比較して狭くする必要がある。
【００３６】
無限遠にフォーカスした際に、前記撮影レンズ系の焦点距離をｆ、開放Ｆ値をＦｎｏとし、下記の条件式（４）を満たすことが好ましい。
８ｍｍ≦ｆ／Ｆｎｏ≦７０ｍｍ                          （４）
条件式（４）は撮影レンズの入射瞳径に関する式である。条件式（４）の下限値を下回ると撮像面上での１つ１つの焦点外れ像が占める領域が小さくなりすぎる。このとき焦点外れ像に与える透過率分布が撮像面上であまりにも小さくなるため、透過率分布素子による焦点外れ像を改良する効果が低減する。そもそも焦点外れ像が小さいために汚い焦点外れ像が撮影時に問題となりにくい。条件式（４）の上限値を上回ると焦点外れ像が大きくなり、撮像面上での１つ１つの焦点外れ像が占める領域が大きくなりすぎる。エッジの効いた焦点外れ像は撮影レンズ系の収差に対応して形成されるが、条件式（４）の上限値を上回るような大きい焦点外れ像では収差が焦点外れ像の光量分布に与える影響が小さくなるため、汚い焦点外れ像が撮影時に問題となりにくい。条件式（４）はさらに好ましくは次の（４ａ）のように設定するのが良い。
１０ｍｍ≦ｆ／Ｆｎｏ≦６５ｍｍ                              （４ａ）
前記撮影レンズの半画角ωは以下の条件式（５）を満たすことが好ましい。
９°≦ω≦４５° （５）
条件式（５）は撮影レンズの半画角に関する式である。エッジの効いた焦点外れ像は撮影レンズ系の収差に対応して形成されるが、条件式（５）の下限値を下回るような撮影レンズ系では焦点外れ像の光量分布を悪化させる収差を設計で抑えやすい。そのため、そもそも汚い焦点外れ像が生じにくく、透過率分布素子の効果が低減する。なお、条件式（５）の下限値を満たす場合は、撮影レンズのパースによる背景圧縮効果のために、背景に小さい点状または細い線状の光源や被写体が生じやすい。このような被写体は焦点外れ像の輪郭が目立ちやすく、透過率分布素子の効果がより有効である。条件式（５）の上限値を上回ると、軸外光束における口径食がひどくなる。このとき軸上光束及び軸外光束に焦点外れ像の改良効果を同時に与えることが困難になるため、好ましくない。
【００３７】
各実施例の撮影レンズ系１は図２、図６、図１０、図１４に示されている。図中の１１は軸上光束、１２は最軸外光束に対応している。軸外光束とは光軸外に結像する光束のことであり、その中で撮像面の最端部に結像する光束のことを最軸外光束と呼ぶ。図中では光軸より下側から撮影レンズ系に入射する光束を代表的に示している。Ｌｉ（ｉは自然数）はレンズ群、ＳＰは絞り、ＩＰは像面、Ｆ１またはＦ２は透過率分布素子である。
【００３８】
各実施例の撮影レンズ系において透過率分布素子に透過率分布が付与されていない構成での、撮像面に形成される赤、緑、青の波長の焦点外れ像の強度分布は図３、図１１、図１５に示されている。図中の２１は緑色の波長（５５０ｎｍ）の光線の軸上画角における焦点外れ像の強度分布、２２は赤色の波長（６５０ ｎｍ）の光線の軸上画角における焦点外れ像の強度分布、２３は青色の波長（４５０ ｎｍ）の光線の軸上画角における焦点外れ像の強度分布である。Ｉ（ｒ）は位置ｒでの強度、Ｉ０は主光線が撮像面に入射する位置での強度を表している。前記焦点外れ像の強度分布はメリジオナル面に垂直で主光線の入射位置を通る断面において評価した。
【００３９】
各実施例の撮影レンズ系において透過率分布素子に透過率分布が付与された構成での、撮像面に形成される赤、緑、青の波長の焦点外れ像の強度分布は図５、図９、図１３、図１７に示されている。
【００４０】
各実施例の透過率分布素子が有する透過率分布は図４、図７、図１２、図１６に示されている。図中の３１は緑色の波長（５５０ｎｍ）に対する透過率分布、３２は赤色の波長（６５０ ｎｍ）に対する透過率分布、３３は青色の波長（４５０ ｎｍ）に対する透過率分布である。Ｔ（ｒ）は位置ｒでの透過率、Ｔ０は最大透過率を表している。
【００４１】
次に本発明の各実施例について詳細に説明する。
【実施例１】
【００４２】
図２は実施例１の撮影レンズ系の断面図である。絞り位置に透過率分布素子Ｆ１が配置されている。この透過率分布素子Ｆ１によって、軸上光束１１から最軸外光束１２までのあらゆる画角の光束に対して瞳強度分布を与え、焦点外れ像の見え方を改善している。
【００４３】
図３は透過率分布素子に透過率分布が付与されていない構成での、撮像面に形成される軸上画角の焦点外れ像の強度分布を示している。実施例１における焦点外れ像は、撮影レンズ系の焦点距離をｆとしたとき、撮像面から５０ｆ離れた位置に合焦させた状態において撮像面から２３５ｆ離れた物体の焦点外れ像である。図３から明らかなように緑色の波長の焦点外れ像の大きさが赤色、青色に比べて大きくなっている。また、各波長の強度分布は分布の端で強度が増している。
【００４４】
この焦点外れ像の色ムラと強度ムラを改善するため、実施例１の透過率分布素子Ｆ１に図４の透過率分布を与えた。
【００４５】
図５は透過率分布素子Ｆ１に図４の透過率分布が付与された構成での、撮像面に形成される軸上画角の焦点外れ像の強度分布を示している。図５からわかるように強度分布の大きさが各波長で等しくなっており、分布の端での強度も緩やかに減少している。その際、中心付近の強度の低下は起こっていない。
【００４６】
よって、実施例１の透過率分布素子Ｆ１により、光量の低下を抑制しつつ、周辺部が色づいたエッジの効いた焦点外れ像を周辺部の色づきがなく強度が緩やかに減少する良好な焦点外れ像に改善している。
【実施例２】
【００４７】
図６は実施例２の撮影レンズ系の断面図である。絞りより物体側に透過率分布素子Ｆ１が、絞りより像側に透過率分布素子Ｆ２が配置されている。その際、軸外光束の瞳透過率分布を等価的に中心対称に近づけるため、軸外光束の形状が中心対称に近い２面に透過率分布素子Ｆ１，Ｆ２を配置した。前記透過率分布素子は曲率を持ったレンズ面に透過率分布を有する構成とした。前記透過率分布素子Ｆ１及びＦ２によって、軸上光束１１から最軸外光束１２までのあらゆる画角の光束に対して瞳強度分布を与え、焦点外れ像の見え方を改善している。
【００４８】
焦点外れ像の色ムラと強度ムラを改善するため、実施例２の透過率分布素子Ｆ１と透過率分布素子Ｆ２に図７の透過率分布を与えた。
【００４９】
図８は光軸から径方向の距離が有効径ｒａの５割となる位置での前記透過率分布の分光特性を示している。透過率分布素子を、５層構成の多層膜とすることで、径方向の距離が有効径ｒａの５割となる位置にて各波長（λ）の透過率が図７の関係を満足する分光特性を実現できている。
【００５０】
図９は透過率分布素子Ｆ１と透過率分布素子Ｆ２に図７の透過率分布が付与された構成での、撮像面に形成される軸上画角の焦点外れ像の強度分布を示している。図９からわかるように強度分布の大きさが各波長で等しくなっており、分布の端での強度も緩やかに減少している。その際、中心付近の強度の低下は起こっていない。
【００５１】
よって、実施例２の透過率分布素子Ｆ１と透過率分布素子Ｆ２により、光量の低下を抑制しつつ、周辺部が色づいたエッジの効いた焦点外れ像を周辺部の色づきがなく強度が緩やかに減少する良好な焦点外れ像に改善している。
【実施例３】
【００５２】
図１０は実施例３の撮影レンズ系の断面図である。絞りより像側に透過率分布素子Ｆ１が配置されている。この透過率分布素子Ｆ１によって、軸上光束１１から最軸外光束１２までのあらゆる画角の光束に対して瞳強度分布を与え、焦点外れ像の見え方を改善している。
【００５３】
図１１は透過率分布素子に透過率分布が付与されていない構成での、撮像面に形成される軸上画角の焦点外れ像の強度分布を示している。実施例３における焦点外れ像は、撮影レンズ系の焦点距離をｆとしたとき、撮像面から５０ｆ離れた位置に合焦させた状態において撮像面から９０ｆ離れた物体の焦点外れ像である。図１１から明らかなように緑色と赤色の波長の焦点外れ像の大きさが青色に比べて大きくなっている。また、各波長の強度分布は分布の端で強度が増している。
【００５４】
この焦点外れ像の色ムラと強度ムラを改善するため、実施例３の透過率分布素子Ｆ１に図１２の透過率分布を与えた。
【００５５】
図１３は透過率分布素子Ｆ１に図１２の透過率分布が付与された構成での、撮像面に形成される軸上画角の焦点外れ像の強度分布を示している。図１３からわかるように強度分布の大きさが各波長で等しくなっており、分布の端での強度も緩やかに減少している。その際、中心付近の強度の低下は起こっていない。
【００５６】
よって、実施例３の透過率分布素子Ｆ１により、光量の低下を抑制しつつ、周辺部が色づいたエッジの効いた焦点外れ像を周辺部の色づきがなく強度が緩やかに減少する良好な焦点外れ像に改善している。
【実施例４】
【００５７】
図１４は実施例４の撮影レンズ系の断面図である。絞りより物体側に透過率分布素子Ｆ１が、絞りより像側に透過率分布素子Ｆ２が配置されている。その際、軸外光束の瞳透過率分布を等価的に中心対称に近づけるため、軸外光束の形状が中心対称に近い２面に配置した。前記透過率分布素子は曲率を持ったレンズ面に透過率分布を有する構成とした。前記透過率分布素子Ｆ１及びＦ２によって、軸上光束１１から最軸外光束１２までのあらゆる画角の光束に対して瞳強度分布を与え、焦点外れ像の見え方を改善している。
【００５８】
図１５は透過率分布素子に透過率分布が付与されていない構成での、撮像面に形成される軸上画角の焦点外れ像の強度分布を示している。実施例４における焦点外れ像は、撮影レンズ系の焦点距離をｆとしたとき、撮像面から１６ｆ離れた位置に合焦させた状態において撮像面から無限遠離れた物体の焦点外れ像である。図１５から明らかなように緑色の波長の焦点外れ像の大きさが赤色、青色に比べて大きくなっている。また、各波長の強度分布は分布の端で強度が増している。
【００５９】
この焦点外れ像の色ムラと強度ムラを改善するため、実施例４の透過率分布素子Ｆ１と透過率分布素子Ｆ２に図１６の透過率分布を与えた。
【００６０】
図１７は透過率分布素子Ｆ１と透過率分布素子Ｆ２に図１６の透過率分布が付与された構成での、撮像面に形成される軸上画角の焦点外れ像の強度分布を示している。図１７からわかるように強度分布の大きさが各波長で等しくなっており、分布の端での強度も緩やかに減少している。その際、中心付近の強度の低下は起こっていない。
【００６１】
よって、実施例４の透過率分布素子Ｆ１と透過率分布素子Ｆ２により、光量の低下を抑制しつつ、周辺部が色づいたエッジの効いた焦点外れ像を周辺部の色づきがなく強度が緩やかに減少する良好な焦点外れ像に改善している。
【００６２】
上記の各実施例では、赤、緑、青の波長として６５０、５５０、４５０ ｎｍの波長を用いて説明したが、同様の考え方を他の波長の組合せ（例えば、６５６．３、５８７．６、４８６．１、４３５．８の組合せなど）にも適用可能である。
【００６３】
以下に本発明の実施例１乃至４に対応する数値実施例１乃至４を示す。各数値実施例において、ｒは物体側より第ｉ番目の面の曲率半径（ｍｍ）、ｄは物体側より第ｉ番目と第ｉ＋１番目の軸上の面間隔（ｍｍ）、ｎｄとｖｄは第ｉ番目の光学部材の屈折率とアッベ数である。焦点距離ｆ（ｍｍ）、ＦナンバーＦｎｏ、画角ω（度）はそれぞれ無限遠物体に焦点を合わせた時の値である。ＢＦはバックフォーカスであり、レンズ全長は第１面から像面までの距離を表す。また、非球面は面番号の後に、＊の符号を付加して表している。非球面形状は、Ｘを光軸方向の面頂点からの変異量、ｈを光軸と垂直な方向の光軸からの高さ、ｒを近軸曲率半径、Ｋを円錐定数、Ａ４、Ａ６、Ａ８、Ａ１０を各々非球面係数としたとき、
【００６４】
【数１】
2019056780.tif 000003
【００６５】
なる式で表している。また、「ｅ±Ｚ」の表示は「１０±Ｚ」を意味する。
［数値実施例１］
単位 mm
面データ
面番号       r        d      nd         vd       有効径
1          ∞       2.00                         42.78
2         57.520    5.50   1.77250    49.6       38.04
3        395.282    2.80                         36.09
4          ∞      -1.60                         33.81
5         25.921    5.00   1.83481    42.7       31.97
6         43.002    1.20                         29.70
7         59.016    2.00   1.64769    33.8       29.56
8         17.697    9.00                         25.24
9(絞り)    ∞       0.00                         24.55
10          ∞       0.50   1.51633    64.1       24.55
11          ∞       6.00                         24.55
12        -19.448    2.00   1.80518    25.4       24.15
13        280.464    6.50   1.75700    47.8       28.14
14        -37.481    0.20                         29.83
15        -74.530    4.50   1.88300    40.8       30.67
16        -30.712   -0.80                         31.22
17          ∞       1.00                         30.14
18        124.396    3.00   1.80400    46.6       29.66
19       -111.454    0.00                         30.02
20          ∞       0.00                         30.32
21          ∞     (可変)                         30.32
像面        ∞   
各種データ
ズーム比      1.00 
焦点距離      52.43  
Fナンバー      1.49  
画角          22.42  
像高          21.64  
レンズ全長    88.51  
BF            39.71  
d21           39.71  
入射瞳位置    30.97  
射出瞳位置   -33.10  
前側主点位置  45.65  
後側主点位置 -12.71  
ズームレンズ群データ
群  始面    焦点距離  レンズ構成長  前側主点位置  後側主点位置
1    1      52.43        48.80        45.65        -12.71
単レンズデータ
レンズ  始面  焦点距離
1       1     86.53
2       5     68.99
3       7    -39.78
4      10      0.00
5      12    -22.52
6      13     44.06
7      15     56.44
8      18     73.53
［数値実施例２］
単位 mm
面データ
面番号       r        d      nd         vd       有効径
1          ∞       2.00                         42.78
2         57.520    5.50   1.77250    49.6       38.04
3        395.282    2.80                         36.09
4          ∞      -1.60                         33.81
5         25.921    5.00   1.83481    42.7       31.97
6         43.002    1.20                         29.70
7         59.016    2.00   1.64769    33.8       29.56
8         17.697    9.00                         25.24
9(絞り)    ∞       6.50                         24.55
10        -19.448    2.00   1.80518    25.4       24.15
11        280.464    6.50   1.75700    47.8       28.14
12        -37.481    0.20                         29.83
13        -74.530    4.50   1.88300    40.8       30.67
14        -30.712   -0.80                         31.22
15          ∞       1.00                         30.14
16        124.396    3.00   1.80400    46.6       29.66
17       -111.454    0.00                         30.02
18          ∞       0.00                         30.32
19          ∞     (可変)                         30.32
像面        ∞   
各種データ
ズーム比      1.00 
焦点距離      52.50  
Fナンバー      1.49  
画角          22.40  
像高          21.64  
レンズ全長    88.49  
BF            39.69  
d19           39.69  
入射瞳位置    30.97  
射出瞳位置   -33.78  
前側主点位置  45.96  
後側主点位置 -12.81  
ズームレンズ群データ
群  始面    焦点距離  レンズ構成長  前側主点位置  後側主点位置
1    1      52.50        48.80        45.96        -12.81
単レンズデータ
レンズ  始面  焦点距離
1       1     86.53
2       5     68.99
3       7    -39.78
4      10    -22.52
5      11     44.06
6      13     56.44
7      16     73.53
［数値実施例３］
単位 mm
面データ
面番号       r        d      nd         vd       有効径
1        106.149    9.00   1.48749    70.2       67.53
2       -290.997    0.50                         66.86
3         51.244    9.50   1.49700    81.5       59.18
4        231.499    3.00                         57.79
5       -630.036    3.50   1.83400    37.2       57.25
6         93.250    2.50                         53.57
7         60.005    8.00   1.49700    81.5       52.05
8       -624.746    0.50                         51.23
9         29.265    3.20   1.71736    29.5       42.22
10         24.308   12.50                         37.88
11(絞り)    ∞     (可変)                         35.40
12      -2278.322    4.50   1.84666    23.9       33.80
13        -55.787    2.00   1.72000    50.2       33.04
14         41.821    4.00                         29.79
15          ∞       0.50   1.51633    64.1       29.50
16          ∞       0.00                         29.42
17          ∞     (可変)                         29.42
18        -30.566    2.50   1.74077    27.8       25.98
19        196.247    8.50   1.77250    49.6       28.59
20        -39.608    0.50                         31.93
21        106.631    6.00   1.83400    37.2       35.15
22       -195.173  (可変)                         35.74
像面        ∞   
各種データ
ズーム比      1.00 
焦点距離     133.12  
Fナンバー      2.06  
画角           9.23  
像高          21.64  
レンズ全長   154.90  
BF            54.23  
d11            2.28  
d17           17.69  
d22           54.23  
入射瞳位置    74.83  
射出瞳位置   -89.01  
前側主点位置  84.24  
後側主点位置 -78.89  
ズームレンズ群データ
群  始面    焦点距離  レンズ構成長  前側主点位置  後側主点位置
1    1      93.89        52.20        -8.11        -44.04
2   12     -65.39        11.00         3.68         -4.24
3   18      82.08        17.50        17.56         10.42
単レンズデータ
レンズ  始面  焦点距離
1       1    160.74
2       3    130.14
3       5    -97.18
4       7    110.58
5       9   -273.90
6      12     67.48
7      13    -32.92
8      15      0.00
9      18    -35.53
10      19     43.34
11      21     83.44
［数値実施例４］
単位 mm
面データ
面番号       r        d      nd         vd       有効径
1          ∞       1.50                         54.03
2         79.773    2.00   1.60311    60.6       46.37
3         28.865    8.00                         39.23
4        117.212    4.00   1.77250    49.6       37.77
5       -212.879  (可変)                         36.80
6         84.814    1.50   1.48749    70.2       24.71
7         19.679   10.00                         21.16
8         22.595    3.50   1.91082    35.3       14.46
9        -45.147    1.00   1.73800    32.3       13.37
10         26.917    3.50                         12.87
11(絞り)    ∞     (可変)                         12.80
12        111.141    1.50   1.72916    54.7       12.69
13        -73.101  (可変)                         12.63
14        -13.184    1.50   1.74000    28.3       12.65
15       -132.829    4.50   1.69680    55.5       15.15
16        -17.844    0.80                         17.62
17*       -53.671    3.20   1.58313    59.4       19.54
18        -18.948    0.00                         20.58
19          ∞     (可変)                         22.26
像面        ∞   
非球面データ
第17面
K = 0.00000e+000  A 4=-2.50000e-005  A 6= 4.20000e-008  A 8=-6.00000e-010  A10= 2.00000e-012  
各種データ
ズーム比      1.00 
焦点距離      28.50  
Fナンバー      2.85  
画角          37.20  
像高          21.64  
レンズ全長    99.00  
BF            38.00  
d 5            7.00  
d11            4.00  
d13            3.50  
d19           38.00  
入射瞳位置    28.63  
射出瞳位置   -29.20  
前側主点位置  45.04  
後側主点位置   9.50  
ズームレンズ群データ
群  始面    焦点距離  レンズ構成長  前側主点位置  後側主点位置
1    1    -528.68        15.50       -39.98        -57.63
2    6     374.88        19.50        48.86         38.18
3   12      60.69         1.50         0.53         -0.35
4   14      61.47        10.00        17.07         15.27
単レンズデータ
レンズ  始面  焦点距離
1       1    -76.12
2       4     98.37
3       6    -52.96
4       8     16.95
5       9    -22.72
6      12     60.69
7      14    -19.88
8      15     29.12
9      17     48.58
以下の表１及び２に数値実施例１〜４の透過率分布素子に付与した透過率分布形状に対する各条件式の数値を示す。なお、表２における条件式（５）の数値の単位は度（°）である。
【００６６】
【表１】
2019056780.tif 000004
【００６７】
【表２】
2019056780.tif 000005
【００６８】
最後に本発明の撮像装置の実施例について述べる。図１８は、本実施例の撮像装置（デジタルスチルカメラ）１００の概略図である。撮像装置１００は、カメラ本体９０と、上述した実施例の撮影レンズ（光学系）１と、撮影レンズ１によって形成される像を光電変換する受光素子（撮像素子）９２を備える。
【００６９】
本実施形態の撮像装置１００は、高い光学性能を有する撮影レンズ１によって形成された高品位な画像を得ることができる。
【００７０】
なお、受光素子９２としては、ＣＣＤセンサやＣＭＯＳセンサ等の撮像素子を用いることができる。このとき、受光素子９２により取得された画像の歪曲収差や色収差等の諸収差を電気的に補正することにより、出力画像を高画質化することもできる。
【００７１】
なお、上述した各実施例の撮影レンズは、図１８に示したデジタルスチルカメラに限らず、銀塩フィルム用カメラやビデオカメラ、望遠鏡等の種々の光学機器に適用することができる。
【００７２】
以上、本発明の好ましい実施形態について説明したが、本発明はこれらの実施形態に限定されず、その要旨の範囲内で種々の変形及び変更が可能である。
【符号の説明】
【００７３】
ＳＰ  絞り、
Ｆ１、Ｆ２  透過率分布素子、
【図１】
2019056780.tif 000006
【図２】
2019056780.tif 000007
【図３】
2019056780.tif 000008
【図４】
2019056780.tif 000009
【図５】
2019056780.tif 000010
【図６】
2019056780.tif 000011
【図７】
2019056780.tif 000012
【図８】
2019056780.tif 000013
【図９】
2019056780.tif 000014
【図１０】
2019056780.tif 000015
【図１１】
2019056780.tif 000016
【図１２】
2019056780.tif 000017
【図１３】
2019056780.tif 000018
【図１４】
2019056780.tif 000019
【図１５】
2019056780.tif 000020
【図１６】
2019056780.tif 000021
【図１７】
2019056780.tif 000022
【図１８】
2019056780.tif 000023